(57)【要約】      （修正有）【課題】少量の収納物でも肩に負担がかかりにくくし、さらには、夏場でも背中を暑く感じにくくすることができる背負い鞄を提供する。【解決手段】背負い鞄は、背当て面４を二重にして形成したポケット部５を備え、ポケット部５は上縁側を開口部５１として背当て面４と略同幅に形成してあり、開口部５１を鞄外側に開放させたことを特徴とする。また、ポケット部５の底部５３をＶ字状乃至Ｕ字状に形成し、開口部５１を覆うフラップ部５２を備える。ポケット部５には、例えば、保冷剤などを収納することができる。【選択図】図２
0003221802.tif 000002
【実用新案登録請求の範囲】
【請求項１】
背当て面を二重にして形成したポケット部を備えた背負い鞄であって、
該ポケット部は、上縁側を開口部として該背当て面と略同幅に形成してあり、該開口部を鞄外側に開放させてある背負い鞄。
【請求項２】
前記ポケット部の底部を、前記鞄の底マチ部から適宜高さの位置に横断するように設けた請求項１に記載の背負い鞄。
【請求項３】
前記ポケット部の底部を、Ｖ字状乃至Ｕ字状にして形成した請求項１に記載の背負い鞄。
【請求項４】
前記開口部を覆うフラップ部を備えた請求項１〜３のいずれかに記載の背負い鞄。
【請求項５】
前記ポケット部に、保冷剤を収納してある請求項１〜４のいずれかに記載の背負い鞄。
【考案の詳細な説明】
【技術分野】
【０００１】
本考案は、背当て面にポケット部を備えた背負い鞄に関する。
【背景技術】
【０００２】
ランドセル、デイバッグ、リュックサックなどの背負い鞄は、肩紐を両肩に掛けて背負うことができ、持ち運ぶ際に両手が使えて便利なものである。
しかし、収納物を収納する場合、うまく収納物を詰め込まないとバランスが悪くなり、両肩に大きな負荷がかかることになってしまうことがあった。
また、鞄の背当て面が背中に密着するため蒸れやすく、特に、夏場などの暑い日には、背中が汗で充満し、衣服を濡らしてしまうことがあり、不快に感じるものであった。
【０００３】
そこで、前掛け鞄と背負い鞄とからなり、前掛け鞄の背面上部に上掛けベルトを、背面下部に下掛けベルトをそれぞれ取り付ける共に、背負い鞄の背面上部に上掛けベルトを、背面下部に下掛けベルトをそれぞれ取り付け、さらに上掛けベルト同士、下掛けベルト同士をそれぞれ分離可能として連結した鞄が開発されており、これは収納物が多い場合に、使用者の身体の前後に鞄が掛かるようにして携行時にバランスが良くなるようにしたものである（下記特許文献１参照）。
【０００４】
また、蒸れ対策として、柔軟性を有する長尺材を、複数条適宜間隔をおいて背負い面に設けた背負い鞄が開発されており、これは背中と背負い面との間に通気空間を確保し、夏場でも快適に背負えるようにしたものである（下記特許文献２参照）。
【先行技術文献】
【特許文献】
【０００５】
【特許文献１】特開２００２−１３６３１９号公報
【特許文献２】実用新案登録第３０００５７４号公報
【考案の概要】
【考案が解決しようとする課題】
【０００６】
上記特許文献１に開示された鞄は、収納物が多い場合は、前掛け鞄と背負い鞄とでバランスをとることができるが、収納物が少なく、背負い鞄のみで足りる場合は、前掛け鞄は不要である。また、背負い鞄に少量の収納物を収納した場合は、軽量ではあるが、背負い鞄の底部に荷重が掛るためバランスが悪く、肩紐が下方に引っ張られて肩の負担になり、持ち運びにくく感じられることがあった。
また、上記特許文献２に開示された背負い鞄は、背負い面に通気空間を設け、蒸れにくくしたものである。しかし、我が国においては、近年、夏場は高温になりやすく、気温が３０℃を超える日が続き、４０℃を超える地点も存在する。気温が３０℃を超えると通気空間が設けてあっても排気が追い付かず背中が蒸れて熱く感じ、長時間連続して背負うことが苦痛になることがあった。
【０００７】
そこで、本考案の目的は、少量の収納物でも肩に負担がかかりにくくし、さらには、夏場でも背中に熱さを感じにくくすることができる背負い鞄を提供することにある。
【課題を解決するための手段】
【０００８】
本考案の一形態の背負い鞄は、背当て面を二重にして形成したポケット部を備えた背負い鞄であって、ポケット部は、上縁側を開口部として背当て面と略同幅に形成してあり、開口部を鞄外側に開放させたことを特徴とする。このポケット部には、例えば、保冷剤を収納することができる。
【０００９】
このように、背中に触れる背当て面にポケット部を形成することにより、ポケット部に収納した収納物は背中に接するため、背中に荷重が分散されて肩への負担が低減されることになる。また、ポケット部に保冷剤を収納すれば、背中を冷やすことができ、夏場の暑い日でも背中を熱く感じにくくすることができる。逆に、冬場の寒い日には、懐炉を入れて温めることもできる。
【００１０】
上記形態の背負い鞄において、ポケット部の底部を鞄の底マチ部から適宜高さの位置に設けることが好ましい。このようにすることにより、ポケット部の収納物を背中の適切な位置に載せることができて背負いやすくなる。
【００１１】
上記形態の背負い鞄において、ポケット部の底部をＶ字状乃至Ｕ字状に形成することができる。このようにすることにより、ポケット部に収納した収納物が鞄の幅中央付近に集まりやすくなり、両肩に均等に負荷がかかるようにすることができる。また、ポケット部に保冷剤を収納した場合は、背中の幅中心に保冷剤が位置するようになるので、効率よく背中を冷やすことができる。
【００１２】
上記形態の背負い鞄において、ポケット部の開口部を覆うフラップ部を備えることができる。このように、フラップ部を備えることにより、背負い鞄が激しく揺れてもポケット部内の収納物が外方に飛び出しにくくなる。また、保冷剤を収納した場合は、開口部が覆われているためポケット部内に冷気が貯まり、長時間冷却効果を持続させることができる。
【図面の簡単な説明】
【００１３】
【図１】本考案の一実施形態の背負い鞄を示し、（Ａ）は背面側斜視図、（Ｂ）は正面側斜視図である。
【図２】図１に示した背負い鞄の背当て面付近を示した図である。
【図３】図１に示した背負い鞄の背当て面付近の縦断面図である。
【図４】図１に示した背負い鞄において、ポケット部の開口部を開口させた状態を示した図である。
【図５】図１に示した背負い鞄の変形例を示し、背当て面付近を示した図である。
【考案を実施するための形態】
【００１４】
以下、本考案の背負い鞄の一実施形態を図面に基づいて説明する。
【００１５】
本考案の一実施形態の背負い鞄１は、図１（Ａ）、（Ｂ）に示すように、大容量の第一収納部２と、小容量の第二収納部３とを備え、第一収容部２の背面部２２ともなる背当て面４にポケット部５を設けてなる。
【００１６】
背負い鞄１は、一対の肩紐６をそれぞれ肩に掛けて背中に背負うことができる鞄であり、例えば、デイバッグ、リュックサック、ランドセルなどにするこができる。また、背負い鞄１は、特に限定するものではないが、布、皮革、ナイロンなどを縫製、接着等して形成することができる。
【００１７】
第一収納部２は、図１（Ａ）、（Ｂ）に示すように、アーチ型（逆Ｕ字型）の正面部２１及び背面部２２とその間に設けた所定幅の横マチ部２３ａ及び底マチ部２３ｂとで形成されている。正面部２１と横マチ部２３ａとの境界の鞄上側部分を第一収納部２の開口部２４とし、ファスナーにより開閉自在としてある。
本実施形態では、第一収納部２をアーチ形状としてあるが、これに限定されるものではなく、スクエア型やボックス型など他形状にしてもよい。
【００１８】
第一収容部２の背面部２２は、背当て面４ともなる部分であり、図２又は図３に示すように、背面部２２の略全面を二重に形成し、その間をポケット部５としてある。背当て面４（背面部２２）は、特に限定するものではないが、外側面４１をメッシュ地、内側面４２をウレタン材などで形成するのが好ましい。
【００１９】
ポケット部５は、縁部を縫製するなどして背当て面４と略同幅に形成してあり、また、上側に横方向に開口する開口部５１を備える。開口部５１は、鞄外側に開放し、常時は、図２又は図３に示すように、フラップ部５２で覆われている。ポケット部５に収納物を収納する際は、図４に示すように、フラップ部５２を捲り上げて開口部５１を露出させて収納物を収納し、鞄外側から収納物を収納できるようにしてある。収納物としては、例えば、保冷剤などを収納することができる。
【００２０】
ポケット部５の底部５３は、図２に示すように、背当て面４の適宜高さ位置に設けることができ、本実施形態では、Ｖ字状になるように形成してある。底部５３は、外側面４１及び内側面４２を縫製し、繋ぎ合わせて形成してある。
本実施形態では、底部５３をＶ字状に形成してあるが、これに限定されるものではなく、例えば、Ｕ字状に形成してもよい。また、図５に示す変形例のように、鞄１を横断する横一直線状の底部５３ａとしてもよい。
底部５３（５３ａ）の位置は、特に限定するものではないが、底マチ部２３ｂからの全高（鞄１の最大高さ）を１とした場合、底マチ部２３ｂから０．２〜０．４程の位置に設けるのが好ましい。この高さ位置にすることにより、ポケット部５の収納物を背中の適切な部位に載せることができて背負いやすくなる。保冷剤を収納した場合は適切な部位を冷やすことができる。
【００２１】
第二収納部３は、正面部２１の約下半分に設けてあり、第一収納部２よりも容量が小さくしてある。第二収納部３は、横長長方体状に形成してあり、鞄外側に突き出すように設けてある。第二収納部３の開口部３１は、第二収納部３の上方に横方向に開口するように備え、ファスナーにより開閉自在としてある。
【００２２】
背負い鞄１は、背当て面４にポケット部５を備えたので、ここに少量の収納物を収納することができる。ポケット部５に収納した収納物は背中に接するため、荷重が背中に分散されて肩への負担が低減されて運びやすくなる。
夏場など暑い日には、ポケット部５に保冷剤を収納すれば、背中を冷やすことができ、背中に熱さを感じにくくなり、蒸れることを防ぐことができる。
なお、保冷剤とは、背中を冷やすことができればよく、市販の保冷剤の他、氷や冷水を収納した袋なども含むものである。
逆に、冬場の寒い日には、市販の懐炉を入れて背中を温めることもできる。
【００２３】
また、ポケット部５の底部５３をＶ字状に形成してあるため、収納した収納物が鞄幅中央付近に集まりやすくなり、両肩に均等に負荷がかかり、鞄１のバランスがとりやすくなる。ポケット部５に保冷剤を収納した場合は、背中の幅中心に保冷剤が位置するようになるので、効率よく背中を冷やすことができる。
【００２４】
さらには、フラップ部５２を備えてあるため、背負い鞄１を背負った際に、鞄１が激しく揺れてもポケット部５内の収納物が外方に飛び出しにくくなる。ポケット部５に、保冷剤を収納した場合は、開口部５１がフラップ部５２により覆われているためポケット部５内に冷気が溜まり、長時間冷却効果を持続させることができる。
【００２５】
上記実施形態の構成態様は、本考案を限定するものとして挙げたものではなく、技術目的を共通にするかぎり変更は可能であり、本考案はそのような変更を含むものである。
【符号の説明】
【００２６】
１背負い鞄
２第一収納部
２１正面部
２２背面部
２３ａ横マチ部
２３ｂ底マチ部
２４開口部
３第二収納部
３１開口部
４背当て面
４１外側面
４２内側面
５ポケット部
５１開口部
５２フラップ部
５３底部
６肩紐
【図１】
0003221802.tif 000003
【図２】
0003221802.tif 000004
【図３】
0003221802.tif 000005
【図４】
0003221802.tif 000006
【図５】
0003221802.tif 000007